(57)【要約】【課題】  使いやすく、まな板を衛生的に両面を使用することができ、調理台以外の場所でも清潔に使用することができるまな板を提供する。【解決手段】  上面が開口部１５として形成され適当な深さを有する容器１４と、容器１４の開口部１５を閉鎖して着脱自在に取り付けられているまな板本体１２から成る。容器１４の開口部１５の周縁部には、まな板本体１２の周縁部下側に当接しまな板本体１２を保持する段部２２を有する。容器１４の一側面には、開口部１５から底部１６ａに近づくにつれ、容器１４の中心に向かうように形成された傾斜面２０を備える。【選択図】図１
2006271603.tif 000002
【特許請求の範囲】
【請求項１】
上面が開口部として形成され適当な深さを有する容器と、前記容器の前記開口部を閉鎖して着脱自在に取り付けられているまな板本体と、前記容器の前記開口部の周縁部に設けられ前記まな板本体の周縁部下側に当接し前記まな板本体を保持する段部と、前記容器の一側面に設けられ底部に近づくにつれ前記容器の中心に向かう傾斜面が設けられたことを特徴とするまな板。
【請求項２】
前記容器は、矩形の底部とこの底部に交差する３側面と前記傾斜面により形成され、前記底部と前記側面及び前記傾斜面の境界に位置する各角部は、丸く面取りされていることを特徴とする請求項1記載のまな板。
【請求項３】
前記容器の前記開口部の周縁部には、側方に突出するフランジ部が設けられ、前記容器の前記開口部は、前記まな板本体周縁部よりも大きく形成され、前記まな板本体周縁部と前記開口部の周縁部との間に隙間を生じ、この隙間は前記容器内に連通する水切り用の溝部となることを特徴とする請求項1記載のまな板。
【請求項４】
前記フランジ部には目盛りが設けられていることを特徴とする請求項３記載のまな板。
【発明の詳細な説明】
【技術分野】
【０００１】
この発明は、調理等において食材を切るために使用するまな板に関する。
【背景技術】
【０００２】
従来、まな板は、樹脂製の板体等で形成され、台所のシンク近傍の調理台に直接置いて使用される。まな板の使用時には、まな板の上で包丁等により食材を切断し、食材を他の容器に移した後は、まな板に残る水をシンクに落としたり、シンクに置いた三角コーナーに廃棄物を入れたりして整頓して使用する。
【０００３】
また、調理台に直接まな板を置かず衛生的に使用するものとして、特許文献１に開示されているホルダー付きまな板及びまな板ホルダーが開示されている。これは、その両面を調理面として使用可能なまな板と、前記まな板を着脱可能に支持する略皿状のホルダーとからなるホルダー付きまな板である。前記ホルダーの内周縁には前記まな板の周縁部を部分的に支持する支持手段が間隔を配して設けられ、前記まな板は前記支持手段上に支持される周縁部のみで前記ホルダーと接している。前記ホルダーの内部には、前記まな板の下方において水を溜めることのできる内部空間が形成され、隣接する前記支持手段の間の溝部分を介して前記まな板の周りと前記ホルダーの内部空間とが連通される。
【０００４】
また、特許文献２、３に開示されている各まな板も、まな板と、このまな板が着脱自在に載置される食品受容器が設けられている。そしてまな板には、このまな板上で切断した食材を前記食品受納器に落下させるための開口部を有し、前記開口部には下ろし金や千切り器具などの調理器具が取付可能である。このため、食材を細く切ったり、刻んだり、下ろしたりする作業がし易く、かつ安全性が高い。
【特許文献１】特許第３３６１０１５号公報
【特許文献２】実用新案登録第３０００９５１号公報
【特許文献３】実用新案登録第３００２８７９号公報
【発明の開示】
【発明が解決しようとする課題】
【０００５】
上記従来の技術の場合、食品受容器の開口部にまな板を載せただけであり、まな板の取り外しをしやすく工夫されていなかった。まな板の取り外しや汚れの付着を防ぐ工夫も特になかった。
【０００６】
この発明は、上記従来の技術の問題点に鑑みてなされたものであり、使いやすく、まな板を衛生的に両面を使用することができ、調理台以外の場所でも清潔に使用することができるまな板を提供することを目的とする。
【課題を解決するための手段】
【０００７】
本発明は、上面が開口部として形成され適当な深さを有する容器と、前記容器の前記開口部を閉鎖して着脱自在に取り付けられているまな板本体と、前記容器の前記開口部の周縁部に設けられ前記まな板本体の周縁部下側に当接し前記まな板本体を保持する段部と、前記容器の一側面に設けられ底部に近づくにつれ前記容器の中心に向かう傾斜面が設けられたまな板である。
【０００８】
前記容器は、矩形の底部とこの底部に交差する３側面と前記傾斜面により形成され、前記底部と前記側面及び前記傾斜面の境界に位置する各角部は、丸く面取りされている。
【０００９】
前記容器の前記開口部の周縁部には、側方に突出するフランジ部が設けられ、前記容器の前記開口部は、前記まな板本体周縁部よりも大きく形成され、前記まな板本体周縁部と前記開口部の周縁部との間に隙間を生じ、この隙間は前記容器内に連通する水切り用の溝部となるものである。また、前記フランジ部には目盛りが設けられているものである。
【発明の効果】
【００１０】
本発明のまな板は、調理台以外のいろいろな場所で使用可能であり、切断した食材や切断時に発生したくずや水等を収容して清潔に使用することができる。
【発明を実施するための最良の形態】
【００１１】
以下、この発明の実施形態について図面に基づいて説明する。図１、図２はこの発明の一実施形態を示すもので、この実施形態のまな板１０は、板状のまな板本体１２と、まな板本体１２が嵌合される容器１４を備えている。
【００１２】
容器１４は、上部が開口部１５として形成され適当な深さを有する皿形の収容部１６と、収容部１６の開口部１５の周縁部に設けられ側方に突出して一周したフランジ部１８が設けられている。収容部１６は一方向に長い略矩形の底部１６ａと、底部１６ａの長手方向の一端縁部を除いて連続する３個の側面部１６ｂが設けられている。底部１６ａの、側面部１６ｂが設けられていない長手方向の一端縁部には、平滑な傾斜面２０が設けられている。傾斜面２０は、開口部１５から底部１６ａに近づくほど底部１６ａの中心に近づくように形成されている。底部１６ａと３つの側面部１６ｂ、傾斜面２０の境界に位置する各角部は、丸く面取りされ、水分や汚れが溜まりにくくなっている。
【００１３】
容器１４の、３つの側面部１６ｂの内壁面には、係止段部２２が設けられている。係止段部２２は、容器１４の開口部１５の周縁部に対して平行に設けられ、容器１４の内側に向かって段が形成されている。そして、開口部１５の周縁部から、まな板本体１２の厚みよりもやや短い深さに設けられ、３つの側面部１６ｂを回ってコの字形に形成され、係止段部２２は、傾斜面２０に連続している。
【００１４】
容器１４の、長手方向に沿って形成されるフランジ部１８の一方には、長手方向に沿ってメジャー２６が印刷又は貼り付けられて設けられている。
【００１５】
次に、この実施形態のまな板１０の使用方法について説明する。まず、容器１４の開口部１５にまな板本体１２を合わせ、側面部１６ｂに設けられた係止段部２２にまな板本体１２を載せ、開口部１５を閉鎖する。このとき、まな板本体１２は容器１４のフランジ部１８よりも僅かに高くなる。まな板本体１２の周囲には、開口部１５の周縁部との間に隙間が生じ、この隙間は、容器１４の収容部１６に連通する水きり用の溝部２４となる。次に、まな板本体１２の上に食材を置き、包丁やナイフで切断する。
【００１６】
まな板本体１２の上に、食材に付いていた水分や食材を切断したときに出る水分が溜まると、まな板本体１２の周囲の溝部２４に流し、容器１４の中に溜める。まな板本体１２はフランジ部１８よりも高く設けられるため、まな板本体１２の水を脇へ押し出すだけで自然と溝部２４に落下する。まな板本体１２が汚れたときは、表裏を返してきれいな裏面を使用する。
【００１７】
まな板本体１２を容器１４から外すときは、まな板本体１２を、係止段部２２上を傾斜面２０側に摺動させる。すると図２に示すように、まな板本体１２の一端部は傾斜面２０に沿って上方に押し上げられ、フランジ部１８の外側へ突出し、取り易くなる。また、容器１４の中に、切断した食材や、食材の切りくずを収容しても良い。
【００１８】
この実施形態のまな板１０によれば、調理台以外の場所でも、周囲を汚すことなく食材を切断して調理することができる。水分や食材を容器１４の中に収容可能であるため、周囲を散らかすことがなく、また持ち運びも簡単である。まな板本体１２は、周縁部が容器１４の係止段部２２に係止されているため、裏面が他の部材に接触せず清潔であり、表面が汚れたときは裏面を返して使用することができる。まな板本体１２は板体であるため、容器１４から外すと普通のまな板として使用することができ、また市販のまな板を容器１４に載せて使用することもできる。容器１４にはフランジ部１８があるため、まな板本体１２から切断時に飛散する汚れを確実に受け、まな板１０の周囲を清潔に保つことができる。フランジ部１８は、持ち運びのときには持ち手として機能する。まな板本体１２はフランジ部１８よりも高い位置にあるため、切断作業が容易であり、また水を脇へ流してもフランジ部１８が低い位置で受け、溝部２４に流れるため、外にはねにくく、このことからも衛生的である。まな板本体１２の水分は、溝部２４から収容部１６に流れるため、水切れが良好であり、清潔感がある。
【００１９】
さらに、まな板本体１２は、傾斜面２０を滑らせて簡単に取り外しが可能であるため、取り扱いが容易である。また、まな板本体１２を容器１４に入れるときも円滑に入れることができる。容器１４の底部１６ａと側面部１６ｂ、傾斜面２０の境界の各角部は、面取りされて丸く形成されているため、汚れや水が溜まりにくく、洗浄が容易で衛生的である。容器１４を市販のまな板立てに立てかけたときも、水切り性が向上する。
【００２０】
なお、この発明は上記実施の形態に限定されるものではなく、各部材の形状、素材等、変更可能である。また、容器の色を透明にすることにより、内容物が視認しやすくなる。フランジ部には、メジャーの他、食材の切り方の絵柄等を描いても良い。容器の傾斜面は、平面以外に外側に湾曲する湾曲面でも良い。
【図面の簡単な説明】
【００２１】
【図１】この発明の一実施形態のまな板の斜視図である。
【図２】この実施形態のまな板のまな板本体を外す状態を示す斜視図である。
【図３】この実施形態のまな板の右側面である。
【符号の説明】
【００２２】
１０  まな板
１２  まな板本体
１４  容器
１５  開口部
１６  収容部
１８  フランジ部
２０  傾斜面
２２  係止段部
２４  溝部
２６  メジャー
【図１】
2006271603.tif 000003
【図２】
2006271603.tif 000004
【図３】
2006271603.tif 000005